(57)【要約】【課題】電子辞書などの任意の見出し語について説明情報を表示するもので、一連の複数単語の見出し語に対応する適切な説明内容を容易且つ簡単に検索する。【解決手段】一連の複数単語からなる検索文字列を入力すると、入力単語中の動詞または形容詞または名詞がキー単語として設定され、このキー単語と一致する複数の見出し語が単語辞書から検索されると共に、各見出し語に対応する説明内容が読み出され、前記複数単語の検索文字列が直接的に、あるいは「〜」データとキー単語との置換、あるいは「ＳＶ」記号の「Ｖ」とキー単語との置換により含まれているか判断される。複数単語の検索文字列が説明内容に含まれている見出し語３１ａ，３１ｂ，…とその各対応する説明内容３６ａ，３６ｂ，…とが検索見出し語一覧画面Ｇ２にて一覧表示され、所望の説明内容を指定することで、当該指定された説明内容の全体データが説明内容表示画面Ｇ３にて表示される。【選択図】    図１４
2004152103.tif 000002
【特許請求の範囲】
【請求項１】
見出し語毎に該見出し語についての複数の説明情報を記憶する情報記憶手段と、
検索文字を入力する検索文字入力手段と、
この検索文字入力手段により入力された一連の複数の単語のうちの何れかの単語について、前記情報記憶手段により記憶された見出し語を検索する見出し語検索手段と、
この見出し語検索手段により検索された見出し語について、当該見出し語の何れかの説明情報に前記検索文字入力手段により入力された一連の複数の単語が含まれるか判断する説明情報判断手段と、
この説明情報判断手段により前記一連の複数の単語が含まれると判断された説明情報をその見出し語と共に表示する検索情報表示手段と、
を備えたことを特徴とする情報表示装置。
【請求項２】
前記検索情報表示手段は、前記一連の複数の単語が含まれると判断された説明情報の各見出し語と当該各見出し語の説明情報の一部とを対応付けて表示する、
ことを特徴とする請求項１に記載の情報表示装置。
【請求項３】
前記見出し語検索手段は、
前記検索文字入力手段により入力された一連の複数の単語のうちのキー単語を選択するキー単語選択手段を有し、
このキー単語選択手段により選択されたキー単語について、前記情報記憶手段により記憶された見出し語を検索する、
ことを特徴とする請求項１または請求項２に記載の情報表示装置。
【請求項４】
前記キー単語選択手段は、前記検索文字入力手段により入力された一連の複数の単語のうちの動詞または形容詞または名詞をキー単語として選択する、
ことを特徴とする請求項３に記載の情報表示装置。
【請求項５】
さらに、
前記説明情報判断手段により前記一連の複数の単語が含まれると判断される説明情報がない場合には、前記キー単語選択手段により選択されたキー単語の他の単語をキー単語として選択するキー単語再選択手段を備えた、
ことを特徴とする請求項３または請求項４に記載の情報表示装置。
【請求項６】
さらに、
前記検索文字入力手段により入力された一連の複数の単語の全体について、前記情報記憶手段により記憶された見出し語を検索する全体見出し語検索手段を備え、
前記検索情報表示手段は、前記説明情報判断手段により前記一連の複数の単語が含まれると判断された説明情報をその見出し語と共に表示するのと共に、前記全体見出し語検索手段により検索された一連の複数の単語からなる見出し語をその説明情報と共に表示する、
ことを特徴とする請求項１に記載の情報表示装置。
【請求項７】
前記説明情報判断手段は、前記見出し語検索手段により検索された見出し語について、当該見出し語の説明情報に含まれる「〜」のデータを前記検索文字入力手段により入力された一連の複数の単語のうちの検索対象とした単語に置き換えて、当該一連の複数の単語が含まれるか判断する、
ことを特徴とする請求項１乃至請求項６の何れか１項に記載の情報表示装置。
【請求項８】
前記検索情報表示手段は、前記説明情報判断手段により前記一連の複数の単語が含まれると判断された説明情報を、当該説明情報に含まれる「〜」のデータを前記検索文字入力手段により入力された一連の複数の単語のうちの検索対象とした単語に置き換え、その見出し語と共に表示する、
ことを特徴とする請求項７に記載の情報表示装置。
【請求項９】
前記説明情報判断手段は、前記見出し語検索手段により検索された見出し語について、当該見出し語の説明情報に含まれる「Ｖ」の品詞記号データを前記検索文字入力手段により入力された一連の複数の単語のうちの検索対象とした単語に置き換えて、当該一連の複数の単語が含まれるか判断する、
ことを特徴とする請求項１乃至請求項６の何れか１項に記載の情報表示装置。
【請求項１０】
前記検索情報表示手段は、前記説明情報判断手段により前記一連の複数の単語が含まれると判断された説明情報を、当該説明情報に含まれる「Ｖ」の品詞記号データを前記検索文字入力手段により入力された一連の複数の単語のうちの検索対象とした単語に置き換え、その見出し語と共に表示する、ことを特徴とする請求項９に記載の情報表示装置。
【請求項１１】
さらに、
前記検索情報表示手段により表示された複数の見出し語の何れかを選択する見出し語選択手段と、
この見出し語選択手段により選択された見出し語についての説明情報の内容の全体を表示させる見出し語選択説明情報表示制御手段と、
この見出し語選択説明情報表示制御手段により表示された説明情報の内容について前記検索文字入力手段により入力された一連の複数の単語が含まれる部分を判断する検索文字部分判断手段と、
この検索文字部分判断手段により判断された前記表示された説明情報の内容について一連の複数の単語が含まれる部分を他の部分と表示形態を異ならせて表示させる検索文字区別表示制御手段と、
を備えたことを特徴とする請求項１乃至請求項１０の何れか１項に記載の情報表示装置。
【請求項１２】
前記検索情報表示手段は、前記説明情報判断手段により前記一連の複数の単語が含まれると判断された説明情報をその見出し語と共に用例マークまたは成句マークを対応付けて表示する、
ことを特徴とする請求項１乃至請求項１１の何れか１項に記載の情報表示装置。
【請求項１３】
情報表示装置のコンピュータを制御して情報を表示させるための情報表示処理プログラムであって、
前記コンピュータを、
見出し語毎に該見出し語についての複数の説明情報を記憶する情報記憶手段、
検索文字を入力する検索文字入力手段、
この検索文字入力手段により入力された一連の複数の単語のうちの何れかの単語について、前記情報記憶手段により記憶された見出し語を検索する見出し語検索手段、
この見出し語検索手段により検索された見出し語について、当該見出し語の何れかの説明情報に前記検索文字入力手段により入力された一連の複数の単語が含まれるか判断する説明情報判断手段、
この説明情報判断手段により前記一連の複数の単語が含まれると判断された説明情報をその見出し語と共に表示する検索情報表示手段、
として機能させるようにしたコンピュータ読み込み可能な情報表示処理プログラム。
【発明の詳細な説明】
【０００１】
【発明の属する技術分野】
本発明は、電子辞書など、任意の見出し語についての説明情報を表示するための情報表示装置および情報表示処理プログラムに関する。
【０００２】
【従来の技術】
従来から、所望の見出し語を入力すると、当該見出し語と一致する見出し語と共に類似の見出し語が一覧表示され、この一覧表示された複数の見出し語の中から所望の見出し語を選択すると、選択された見出し語に対応する説明内容の表示画面に切り替わり、所望の見出し語に適切に対応した説明内容を知ることのできる電子辞書が実用されている。
【０００３】
また、一連の複数単語からなる見出し語を入力して、該複数単語を見出しとする説明内容を検索表示する電子辞書、成句検索専用の辞書データベースを有し、複数単語として入力された見出し語を成句辞書から検索しその説明内容を表示する電子辞書も実用されている。
【０００４】
また、単語を検索する際、一つの単語に対する成句のような関連情報の中に単語の変化形があっても原形に直して表示する電子辞書が提案されている。（例えば、特許文献１参照。）
【０００５】
【特許文献１】
特開平１１−１６１６５０号公報
【０００６】
【発明が解決しようとする課題】
このように、成句の検索においては、専用の辞書データベースを有する専用辞書にて検索するか、通常の辞書データベースにて単語単位で検索してその説明内容を表示させ、この説明内容に含まれる用例から成句の説明の確認を行っている。
【０００７】
しかしながら、成句について前記専用辞書にて検索した場合、「単語＋前置詞など」で特別の意味を有する成句は検索可能であるが、当該「単語＋前置詞など」が通常の単語の意味の用法である場合には、成句辞書に収録されていないことが多い。よって、初学者にとっては、一連の複数単語からなる見出し語について、どのような辞書で検索すれば良いのか非常に分かり辛い問題がある。
【０００８】
例えば初学者が、成句専用辞書において「単語＋前置詞」と思って検索しても、実際は「単語＋不定詞」である場合もあり、この場合には正しい意味にたどり着けない問題がある。
【０００９】
さらに、成句専用辞書にて検索した場合、当該成句において中心となる単語との関係で成句になると、どのように意味が変化するのか分かり辛い問題がある。
【００１０】
このように、何れの電子辞書にあっても、複数単語で構成される言葉を容易に検索し、適切な説明内容を知るのは困難な問題がある。
【００１１】
本発明は、前記のような問題に鑑みてなされたもので、一連の複数の単語からなる見出し語に対応する適切な説明内容を容易且つ簡単に検索することが可能になる情報表示装置および情報表示処理プログラムを提供することを目的とする。
【００１２】
【課題を解決するための手段】
本発明の請求項１に係る情報表示装置では、見出し語毎に該見出し語についての複数の説明情報を記憶する情報記憶手段を有し、検索文字入力手段により検索文字が入力されると、この入力された一連の複数の単語のうちの何れかの単語について、前記情報記憶手段により記憶された見出し語が検索される。そして、この見出し語検索により検索された見出し語について、当該見出し語の何れかの説明情報に前記検索文字入力により入力された一連の複数の単語が含まれるか説明情報判断手段により判断され、これにより前記一連の複数の単語が含まれると判断された説明情報は検索情報表示手段によりその見出し語と共に表示される。
【００１３】
これによれば、一連の複数単語からなる成句や準成句、動詞＋前置詞などの検索において、一致する見出し語の無い単語辞書をベースとしても、容易にその説明内容を有する見出し語と説明情報を検索表示できることになる。
【００１４】
本発明の請求項２に係る情報表示装置では、前記請求項１に係る情報表示装置にあって、検索情報の表示に際しては、一連の複数の単語が含まれると判断された説明情報の各見出し語と当該各見出し語の説明情報の一部とが対応付けされて表示される。
【００１５】
これによれば、検索対象文字列である一連の複数の単語が含まれると判断された説明情報を有する各見出し語を、見出し語毎にその説明情報の先頭などの一部と対応付けて見易く表示できることになる。
【００１６】
本発明の請求項３に係る情報表示装置では、前記請求項１または請求項２に係る情報表示装置にあって、見出し語の検索に際しては、検索文字入力手段により入力された一連の複数の単語のうちのキー単語がキー単語選択手段により選択され、このキー単語選択により選択されたキー単語について、情報記憶手段により記憶された見出し語が検索される。
【００１７】
これによれば、一連の複数単語からなる検索対象文字列から主要な単語を抽出して見出し語検索でき、複数単語の検索対象文字を含みやすい説明情報を有する見出し語を検索できることになる。
【００１８】
本発明の請求項４に係る情報表示装置では、前記請求項３に係る情報表示装置にあって、キー単語の選択に際しては、検索文字入力手段により入力された一連の複数の単語のうちの動詞または形容詞または名詞がキー単語として選択される。
【００１９】
これによれば、一連の複数単語からなる検索対象文字列から動詞または形容詞または名詞の順で主要な単語を抽出して見出し語検索でき、複数単語の検索対象文字を含みやすい説明情報を有する見出し語を検索表示できることになる。
【００２０】
本発明の請求項５に係る情報表示装置では、前記請求項３または請求項４に係る情報表示装置にあって、さらに、説明情報判断手段により一連の複数の単語が含まれると判断される説明情報がない場合は、キー単語選択により選択されたキー単語の他の単語が次のキー単語として選択される。
【００２１】
これによれば、一連の複数単語からなる検索対象文字列からはじめに選択されたキー単語にて検索された見出し語の説明情報に該検索対象文字列が無くても、他の単語をキー単語として見出し語検索し、検索対象文字列の有る説明情報を見出すことができることになる。
【００２２】
本発明の請求項６に係る情報表示装置では、前記請求項１に係る情報表示装置にあって、さらに、検索文字入力手段により入力された一連の複数の単語の全体について、情報記憶手段により記憶された見出し語を検索する全体見出し語検索手段が備えられ、検索情報の表示に際しては、説明情報判断手段により一連の複数の単語が含まれると判断された説明情報がその見出し語と共に表示されるのと共に、全体見出し語検索手段により検索された一連の複数の単語からなる見出し語もその説明情報と共に表示される。
【００２３】
これによれば、一連の複数単語からなる検索対象文字列そのものによる見出し語検索も行い、例えば単語辞書，成句辞書の各辞書データをベースにして、成句や準成句、動詞＋前置詞などの検索文字列の説明内容を有する見出し語と説明情報を確実且つ容易に検索表示できることになる。
【００２４】
本発明の請求項７に係る情報表示装置では、前記請求項１乃至請求項６の何れか１項に係る情報表示装置にあって、説明情報の判断に際しては、見出し語検索手段により検索された見出し語について、当該見出し語の説明情報に含まれる「〜」のデータを、検索文字入力手段により入力された一連の複数の単語のうちの検索対象とした単語に置き換えて、当該一連の複数の単語が含まれるか判断される。
【００２５】
これによれば、説明情報内で見出し語を「〜」データに替えて用例などの説明がある辞書データをベースとしても、一連の複数単語からなる検索文字列の説明情報を確実且つ容易に検索できることになる。
【００２６】
本発明の請求項８に係る情報表示装置では、前記請求項７に係る情報表示装置にあって、検索情報の表示に際しては、説明情報の判断により一連の複数の単語が含まれると判断された説明情報について、当該説明情報に含まれる「〜」のデータが検索文字入力手段により入力された一連の複数の単語のうちの検索対象とした単語に置き換えられ、その見出し語と共に表示される。
【００２７】
これによれば、検索された見出し語の説明情報中に「〜」データを用いて含まれる検索対象文字列との一致部分を、当該検索対象文字列そのままに置き換えてより見易く表示できることになる。
【００２８】
本発明の請求項９に係る情報表示装置では、前記請求項１乃至請求項６の何れか１項に係る情報表示装置にあって、説明情報の判断に際しては、見出し語検索手段により検索された見出し語について、当該見出し語の説明情報に含まれる「Ｖ」の品詞記号データを、検索文字入力手段により入力された一連の複数の単語のうちの検索対象とした単語に置き換えて、当該一連の複数の単語が含まれるか判断される。
【００２９】
これによれば、説明情報内で見出し語を「Ｖ」の品詞記号データに替えて用例などの説明がある辞書データをベースとしても、一連の複数単語からなる検索文字列の説明情報を確実且つ容易に検索できることになる。
【００３０】
本発明の請求項１０に係る情報表示装置では、前記請求項９に係る情報表示装置にあって、検索情報の表示に際しては、説明情報の判断により一連の複数の単語が含まれると判断された説明情報について、当該説明情報に含まれる「Ｖ」の品詞記号データが検索文字入力手段により入力された一連の複数の単語のうちの検索対象とした単語に置き換えられ、その見出し語と共に表示される。
【００３１】
これによれば、検索された見出し語の説明情報中に「Ｖ」の品詞記号データを用いて含まれる検索対象文字列との一致部分を、当該検索対象文字列そのままに置き換えてより見易く表示できることになる。
【００３２】
本発明の請求項１１に係る情報表示装置では、前記請求項１乃至請求項１０の何れか１項に記載の情報表示装置にあって、さらに、検索情報の表示により表示された複数の見出し語の何れかが見出し語選択手段により選択されると、この見出し語選択された見出し語についての説明情報の内容の全体が見出し語選択説明情報表示制御手段により表示されると共に、この見出し語選択の説明情報表示により表示された説明情報の内容について、検索文字入力手段により入力された一連の複数の単語が含まれる部分が検索文字部分判断手段により判断され、この検索文字部分の判断により判断された前記表示された説明情報の内容について一連の複数の単語が含まれる部分が、検索文字区別表示制御手段により他の部分と表示形態を異ならせて表示される。
【００３３】
これによれば、検索された見出し語を指定してその説明情報の内容全体を表示させた場合に、一連の複数単語からなる検索文字列の説明部分を区別して見易く表示できることになる。
【００３４】
本発明の請求項１２に係る情報表示装置では、前記請求項１乃至請求項１１の何れか１項に係る情報表示装置にあって、検索情報の表示に際しては、説明情報の判断により一連の複数の単語が含まれると判断された説明情報がその見出し語と共に用例マークまたは成句マークが対応付けされて表示される。
【００３５】
これによれば、検索された見出し語とその説明情報との対応表示画面上で、複数単語からなる検索対象文字列が用例または成句として説明された部分を容易に見出すことができることになる。
【００３６】
本発明の請求項１３に係る情報表示処理プログラムでは、当該プログラムを情報表示装置にインストールすることで、この情報表示装置のコンピュータにおいて、見出し語毎に該見出し語についての複数の説明情報が情報記憶手段により記憶され、検索文字入力手段により検索文字が入力されると、この入力された一連の複数の単語のうちの何れかの単語について、前記情報記憶手段により記憶された見出し語が検索される。そして、この見出し語検索により検索された見出し語について、当該見出し語の何れかの説明情報に前記検索文字入力により入力された一連の複数の単語が含まれるか説明情報判断手段により判断され、これにより前記一連の複数の単語が含まれると判断された説明情報は検索情報表示手段によりその見出し語と共に表示される。
【００３７】
これによれば、一連の複数単語からなる成句や準成句、動詞＋前置詞などの検索において、一致する見出し語の無い単語辞書をベースとしても、容易にその説明内容を有する見出し語と説明情報を検索表示できることになる。
【００３８】
【発明の実施の形態】
以下、図面を参照して本発明の実施の形態について説明する。
【００３９】
図１は、本発明の情報表示装置の実施形態に係る通信機能付き電子辞典（通信電子辞典）１０の電子回路の構成を示すブロック図である。
【００４０】
通信電子辞典１０は、各種の記録媒体に記録されたプログラム、又は、伝送されたプログラムを読み込んで、その読み込んだプログラムによって動作が制御されるコンピュータによって構成され、その電子回路には、ＣＰＵ（ｃｅｎｔｒａｌ  ｐｒｏｃｅｓｓｉｎｇ  ｕｎｉｔ）１１が備えられる。
【００４１】
ＣＰＵ１１は、メモリ１２内に予め記憶された電子辞典制御プログラム、あるいはＲＯＭカードなどの外部記録媒体１３から記憶装置１４に読み込まれた電子辞典制御プログラム、あるいはインターネットＮ上のＷｅｂサーバ２０（この場合はプログラムサーバ）から通信部１５を介して前記メモリ１２に読み込まれた電子辞典制御プログラムに応じて、回路各部の動作を制御するもので、前記メモリ１２に記憶された電子辞典制御プログラムは、キーやタッチパネルからなる入力部１６からのユーザ操作に応じた入力信号、あるいは通信部１５を介して接続されるインターネットＮ上の各Ｗｅｂサーバ２０…との通信信号に応じて起動される。
【００４２】
前記ＣＰＵ１１には、前記メモリ１２、記録媒体読取部１４、通信部１５、入力部１６が接続される他に、ＬＣＤからなる表示部１７などが接続される。
【００４３】
この通信電子辞典１０のメモリ１２は、ＲＯＭ、ＦＬＡＳＨメモリ（ＥＥＰ−ＲＯＭ）、ＲＡＭを組み合わせて構成される。
【００４４】
このメモリ１２には、当該通信電子辞典１０の全体の動作を司るシステムプログラムや通信部１５を介してインターネットＮ上の各Ｗｅｂサーバ２０…とデータ通信するための通信プログラムが記憶される他に、この通信電子辞典１０での辞典検索に伴う情報表示処理などを行うための電子辞典制御プログラム１２ａが記憶される。
【００４５】
また、このメモリ１２には、見出語テーブル１２ｂ、説明情報テーブル１２ｃ、辞書内容データメモリ１２ｄ、入力検索語メモリ１２ｅ、検索見出語一覧メモリ１２ｆ、該当有りテーブル１２ｇ、指定見出語メモリ１２ｈ、指定説明項目メモリ１２ｉ、そしてワークエリア１２ｊが備えられる。
【００４６】
図２は前記通信電子辞書１０の見出語テーブル１２ｂに格納されたテーブルデータを示す図である。
【００４７】
この見出語テーブル１２ｂには、辞書内容データメモリ１２ｄに記憶された各種辞書の内容に応じて、その見出しＮｏ、見出語、記憶アドレス、説明内容の先頭データ（所定文字数）が対応付けられて記憶される。なお、この各見出し語に対応する説明内容の所定文字数分の先頭データは、その説明内容の意味が分かる範囲の文字数あるいは表示部１８に対する一覧表示（図９（Ｃ）参照：検索見出し語一覧画面Ｇ２）において画面内に収まる範囲の文字数に設定される。
【００４８】
図３は前記通信電子辞書１０の説明情報テーブル１２ｃに格納されたテーブルデータを示す図である。
【００４９】
この説明情報テーブル１２ｃには、辞書内容データメモリ１２ｄに記憶された各種辞書における見出し語毎の複数の説明項目（説明情報）の先頭データ（所定文字数）が、該当見出しＮｏ、説明Ｎｏ、記憶アドレスに対応付けられて記憶される。なお、この各説明項目に対応する説明内容の所定文字数分の先頭データは、その説明内容の意味が分かる範囲の文字数あるいは表示部１８に対する一覧表示（図９（Ｂ）参照：検索見出し語一覧画面Ｇ２）において画面内に収まる範囲の文字数に設定される。
【００５０】
辞書内容データメモリ１２ｄには、前記電子辞典制御プログラム１２ａに従った辞典検索の対象データベースとなる広辞苑，技術用語辞典，カタカナ辞典，百科辞典，英和辞典（成句辞典を含む），和英辞典，国語辞典など、各種の辞典の内容が収録される。
【００５１】
入力検索語メモリ１２ｅには、辞典検索（情報表示処理）に伴い入力された１つの単語あるいは一連の複数の単語からなる検索対象の見出し語が検索文字として記憶される。
【００５２】
検索見出語一覧メモリ１２ｆには、前記入力検索語メモリ１２ｅに記憶された検索文字に従い、前記辞書内容データメモリ１２ｄから検索された該検索文字と一致および該検索文字を含む全ての見出し語が、検索された見出し語一覧データとして記憶される。
【００５３】
図４は前記通信電子辞書１０の該当有りテーブル１２ｇに格納されたテーブルデータを示す図である。
【００５４】
この該当有りテーブル１２ｇには、辞典検索に伴う情報表示処理の成句用法検索において、前記入力検索語メモリ１２ｅに記憶された検索文字（検索対象見出語）が一連の複数の単語を含む場合に、その主要な見出し単語（キー単語）について検索された見出し語に対応する複数の説明内容中で、「〜」のデータや「Ｓ，Ｖ，Ｏ」のうち「Ｖ」のデータを当該見出し単語と置き換えて前記一連の複数単語を含む検索文字と一致した場合に、その見出しＮｏと説明内容のＮｏに該当有りを示すフラグ、およびこれが「用例」としての説明であることを示す（用）マークまたは「成句」としての説明であることを示す（句）マークが対応付けされて記憶される。なお、（用）マークは、前記一連の複数単語の見出し語と一致する文字列が説明内容の途中以降にあった場合、そして（句）マークは、前記複数単語の見出し語と一致する文字列が説明内容の先頭にあった場合に、前記該当有りフラグと共に対応付けされる。
【００５５】
つまり、この該当有りテーブル１２ｇによれば、一連の複数の単語からなる検索文字と一致する「成句」あるいはその「用例」の説明内容があった場合に、その見出し語のＮｏと説明内容のＮｏが示されることになる。
【００５６】
指定見出語メモリ１２ｈには、前記検索見出語一覧メモリ１２ｆに記憶された入力検索文字に対応する見出し語一覧中で、ユーザ指定された見出し語のＮｏが記憶される。
【００５７】
指定説明項目メモリ１２ｉには、前記見出し語一覧に従いユーザ指定された見出し語に対応する複数の説明内容中で、さらにユーザ指定された説明内容（項目）のＮｏが記憶される。
【００５８】
ワークエリア１２ｊには、この通信電子辞書１０による各種の処理動作に伴い、ＣＰＵ１１に入出力される種々のデータが必要に応じて一時記憶される。
【００５９】
次に、前記構成による情報表示装置（通信電子辞典）１０の動作について説明する。
【００６０】
図５は前記通信電子辞書１０での辞典検索に伴う情報表示処理（その１）を示すフローチャートである。
【００６１】
図６は前記通信電子辞書１０での辞典検索に伴う情報表示処理（その２）を示すフローチャートである。
【００６２】
図７は前記通信電子辞書１０での情報表示処理に伴うキー単語選択処理を示すフローチャートである。
【００６３】
図８は前記通信電子辞書１０での情報表示処理に伴う説明データ中の複数単語検索処理を示すフローチャートである。
【００６４】
図９は前記通信電子辞書１０での辞典検索に伴う情報表示処理に従い１つの単語からなる検索文字を入力した場合の操作表示状態を示す図である。
【００６５】
図１０は前記通信電子辞書１０での辞典検索に伴う情報表示処理に従い一連の複数の単語からなる検索文字を入力した場合の第１具体例の操作表示状態（その１）を示す図である。
【００６６】
図１１は前記通信電子辞書１０での辞典検索に伴う情報表示処理に従い一連の複数の単語からなる検索文字を入力した場合の第１具体例の操作表示状態（その２）を示す図である。
【００６７】
図１２は前記通信電子辞書１０での辞典検索に伴う情報表示処理に従い一連の複数の単語からなる検索文字を入力した場合の第２具体例の操作表示状態（その１）を示す図である。
【００６８】
図１３は前記通信電子辞書１０での辞典検索に伴う情報表示処理に従い一連の複数の単語からなる検索文字を入力した場合の第２具体例の操作表示状態（その２）を示す図である。
【００６９】
図１４は前記通信電子辞書１０での辞典検索に伴う情報表示処理に従い一連の複数の単語からなる検索文字を入力した場合の第３具体例の操作表示状態を示す図である。
【００７０】
図１５は前記通信電子辞書１０での辞典検索に伴う情報表示処理に従い一連の複数の単語からなる検索文字を入力した場合の第４具体例の操作表示状態を示す図である。
【００７１】
図１６は前記通信電子辞書１０での辞典検索に伴う情報表示処理に従い一連の複数の単語からなる検索文字を入力した場合の第５具体例の操作表示状態を示す図である。
【００７２】
例えば図９（Ａ）に示すように、入力部１６の「英和」キー１６ａの操作に応じて英和辞典の検索モードが設定され、表示部１７に対して検索語入力画面Ｇ１が表示された状態で、例えば検索文字「ｋｉｎｄ」が入力され、図９（Ｂ）に示すように、「訳／決定」キー１６ｂが操作されると、この入力された検索語「ｋｉｎｄ」のデータが入力検索語メモリ１２ｅに記憶される（ステップＳ１）。
【００７３】
すると、この入力検索語メモリ１２ｅに記憶された入力検索語「ｋｉｎｄ」が一連の複数の単語を含むか否か判断される（ステップＳ２）。
【００７４】
ここで、入力検索語「ｋｉｎｄ」は一連の複数の単語を含まないと判断されるので、通常の辞書検索処理に移行し、当該入力検索語「ｋｉｎｄ」と一致する見出し語３１ａ，３１ｂ，…および該検索語「ｋｉｎｄ」を含む見出し語３１ｃ，３１ｄ，…が辞書内容データ（ベース）１２ｄから検索されて検索見出し語一覧メモリ１２ｆに記憶され、図９（Ｂ）および図９（Ｃ）に示すように、表示部１７に表示された検索見出し語一覧画面Ｇ２の左エリアに一覧表示される。
【００７５】
この際、前記検索見出し語一覧画面Ｇ２の右エリアには、左エリアに一覧表示された各見出し語３１ａ，３１ｂ，…に対応付けられて見出し語テーブル１２ｂ（図２参照）に記憶されている各々の見出し語３１ａ，３１ｂ，…の説明内容の先頭データ３２ａ，３２ｂ，…が一覧表示される。
【００７６】
すると、図９（Ｂ）に示すように、前記検索見出し語一覧画面Ｇ２にて一覧表示された各見出し語３１ａ，３１ｂ，…のうち、先頭の見出し語「ｋｉｎｄ１」がデフォルトで指定されて反転識別表示３４とされ、これに対応して当該指定の見出し語「ｋｉｎｄ１」の各説明内容（項目）の先頭データ３３ａ，３３ｂ，…が説明情報テーブル１２ｃ（図３参照）から読み出され、前記各見出し語３１ａ，３１ｂ，…毎の説明先頭データ３２ａ，３２ｂ，…に重ねて一覧表示される。この際、反転識別表示３４とされた指定の見出し語「ｋｉｎｄ１」とその各説明内容の先頭データ３３ａ，３３ｂ，…は、吹き出し形式の囲み枠３５に囲まれてその対応付けが明確に表示される。
【００７７】
そして、図９（Ｃ）に示すように、カーソルキー１６ｃの操作により反転識別表示３４とされる指定の見出し語３１が変更されると、その変更指定の都度、新たに指定された見出し語３１に対応する各説明項目の先頭データ３３ａ，３３ｂ，…が読み出され、前記同様に囲み枠３５に囲まれて表示される。
【００７８】
一方、例えば図１０（Ａ）に示すように、表示部１７に対して検索語入力画面Ｇ１が表示された状態で、例えば検索文字「ｋｉｎｄ  ｔｏ」が入力され、図１０（Ｂ）に示すように、「訳／決定」キー１６ｂが操作されると（ステップＳ１）、この入力検索語「ｋｉｎｄ  ｔｏ」は一連の複数の単語を含むと判断されるので（ステップＳ２）、図７におけるキー単語選択処理に移行される（ステップＳＡ）。
【００７９】
このキー単語選択処理（ステップＳＡ）では、一連の複数の単語からなる入力検索語中に動詞が有るか否か（ステップＡ１）、動詞が無い場合には形容詞が有るか否か（ステップＡ１→Ａ３）、さらに形容詞も無い場合には名詞があるか否か判断される（ステップＡ３→Ａ５）。
【００８０】
入力検索語中に動詞が有ると判断された場合には、この動詞が検索処理すべき主要なキー単語に設定され（ステップＡ１→Ａ２）、動詞が無く形容詞が有ると判断された場合には、この形容詞がキー単語に設定され（ステップＡ３→Ａ４）、さらに形容詞も無く名詞が有ると判断された場合には、この名詞が入力検索語中に複数有るか否か判断される（ステップＡ５→Ａ６）。
【００８１】
ここで、入力検索語中に名詞が複数有ると判断された場合には、当該複数の名詞のうち長い方の単語がキー単語に設定され、また、同じ長さの場合は先頭の単語がキー単語に設定される（ステップＡ６→Ａ７）。
【００８２】
なお、入力検索語中に名詞が複数無いと判断された場合には、当該名詞がキー単語に設定される（ステップＡ８）。
【００８３】
一方、前記一連の複数の単語からなる入力検索語中に動詞も形容詞も名詞も無いと判断された場合には、そのうち先頭の単語が検索処理すべき主要なキー単語に設定される（ステップＡ９）。
【００８４】
すなわち、図１０に示すように入力された一連の複数の単語からなる検索語「ｋｉｎｄ  ｔｏ」からは、「ｋｉｎｄ」が主要なキー単語に設定される。
【００８５】
こうして、一連の複数の単語からなる入力検索語について、検索処理すべき主要なキー単語が設定されると（ステップＳＡ）、このキー単語「ｋｉｎｄ」について、辞書内容データメモリ１２ｄに記憶されている英和単語辞書データ中の各見出し語から該キー単語と完全に一致する見出し語「ｋｉｎｄ１」「ｋｉｎｄ２」…が検索されて検索見出し語一覧メモリ１２ｆに記憶され（ステップＳ３）、この検索された見出し語毎に各対応する説明内容のデータが読み出される（ステップＳ４）。
【００８６】
すると、図８における説明データ中の複数単語検索処理に移行される（ステップＳＢ）。
【００８７】
この説明データ中の複数単語検索処理（ステップＳＢ）では、まず前記検索見出し語一覧メモリ１２ｆに記憶された複数の見出し語「ｋｉｎｄ１」「ｋｉｎｄ２」…の中から最初の見出し語「ｋｉｎｄ１」が指定されると共に（ステップＢ１）、この指定の見出し語に対応した説明内容の中から最初の説明項目が指定される（ステップＢ２）。
【００８８】
すると、この指定された説明項目の内容データがワークエリア１２ｊに読み出され（ステップＢ３）、この説明項目の内容データに「〜」のデータが含まれているか否か判断される（ステップＢ４）。
【００８９】
ここで、前記指定された説明項目の内容データに「〜」のデータが含まれていると判断された場合には、当該「〜」のデータが前記指定の見出し語の単語「ｋｉｎｄ」に置換される（ステップＢ４→Ｂ５）。
【００９０】
また、前記指定の見出し語が動詞であるか否か判断され（ステップＢ６）、動詞であると判断された場合には、前記指定された説明項目の内容データに「ＳＶ」の記号データが含まれているか否か判断される（ステップＢ６→Ｂ７）。
【００９１】
ここで、前記指定された説明項目の内容データに「ＳＶ」の記号データが含まれていると判断された場合には、当該「ＳＶ」の記号データが［Ｓ＋指定の見出し語「ｋｉｎｄ」］に置換される（ステップＢ７→Ｂ８）。
【００９２】
こうして、前記指定の見出し語の、指定された説明項目の内容データについて、「〜」のデータがある場合には該「〜」のデータが指定の見出し語「ｋｉｎｄ」に置換され、また「ＳＶ」の記号データがある場合には該「ＳＶ」のデータが［Ｓ＋指定の見出し語「ｋｉｎｄ」］に置換されると、この説明内容中のデータ置換に応じた一連の複数単語からなる文字列が、前記入力検索語メモリ１２ｅに記憶された一連の複数の単語からなる検索対象の文字列「ｋｉｎｄ  ｔｏ」と一致または含む文字列であるか否か判断される（ステップＢ９）。
【００９３】
ここで、例えば指定された説明項目の内容データにおける「〜」のデータを指定の見出し単語「ｋｉｎｄ」に置き換えた場合の一連の複数単語からなる文字列が「ｋｉｎｄ  ｔｏ…」となり、前記検索対象文字列「ｋｉｎｄ  ｔｏ」と一致または含む文字列であると判断された場合には、当該説明内容の先頭部分にその検索対象文字列「ｋｉｎｄ  ｔｏ」が含まれているのか否か判断される（ステップＢ９→Ｂ１０）。
【００９４】
そして、指定された説明項目の内容データに検索対象文字列と一致または含む文字列が有ると判断され、これが当該説明内容の先頭部分に含まれていると判断された場合には、該当有りテーブル１２ｇ（図４参照）に対して、この見出し語のＮｏと説明項目のＮｏとに対応付けて、検索文字列の該当有りを示すマーク（フラグ）が「成句」としての説明であることを示す「句」マークと共にセットされる（ステップＢ１０→Ｂ１１）。
【００９５】
または、指定された説明項目の内容データに検索対象文字列と一致または含む文字列が有ると判断され、これが当該説明内容の先頭部分ではなく途中に含まれていると判断された場合には、該当有りテーブル１２ｇ（図４参照）に対して、この見出し語のＮｏと説明項目のＮｏとに対応付けて、検索文字列の該当有りを示すマーク（フラグ）が「用例」としての説明であることを示す「用」マークと共にセットされる（ステップＢ１０→Ｂ１２）。
【００９６】
そして、前記ステップＢ９において「Ｎｏ」、つまり、指定中の説明項目の内容データにおける「〜」データを指定の見出し単語に置き換えたり、「ＳＶ」の記号データを［Ｓ＋指定見出語］に置き換えたりした場合でも、これからなる一連の複数単語の文字列が、前記一連の複数単語からなる検索対象文字列と一致せず、また含む文字列でもないと判断された場合、またはステップＢ１１あるいはＢ１２において検索文字列の該当有りを示すマーク（フラグ）が「句」マークあるいは「用」マークと共にセットされると、前記指定の見出し語「ｋｉｎｄ１」に対応した説明内容の中で次の説明項目が有るか否か判断される（ステップＢ１３）。
【００９７】
そして、次の説明項目有りと判断された場合には、当該次の説明項目が指定されて（ステップＢ１３→Ｂ１４）、前記ステップＢ３からの処理に戻り、この次の説明項目の内容データについても、「〜」データがある場合の指定の見出し単語との置換処理、「ＳＶ」記号データがある場合の指定の見出し語との置換処理、による一連の複数単語からなる検索対象文字列との一致／不一致判断がなされる（ステップＢ３〜Ｂ９）。
【００９８】
こうして、一連の複数単語からなる検索対象文字列「ｋｉｎｄ  ｔｏ」のキー単語検索により検索されて検索見出し語一覧メモリ１２ｆに記憶された最初の見出し単語「ｋｉｎｄ１」について、各説明項目中の「〜」データや「ＳＶ」データを当該見出し単語「ｋｉｎｄ」と置換した場合の検索対象文字列「ｋｉｎｄ  ｔｏ」との一致／不一致判断処理、そして一致した場合の見出し語Ｎｏと説明項目Ｎｏに対応付けた「句」または「用」マーク付き該当マークのセット処理がなされると、前記検索見出し語一覧メモリ１２ｆに記憶された次の見出し単語「ｋｉｎｄ２」が指定される（ステップＢ１５→Ｂ１６）。
【００９９】
すると、この一連の複数単語からなる検索対象文字列「ｋｉｎｄ  ｔｏ」のキー単語検索により検索された次の見出し単語「ｋｉｎｄ２」についても、各説明項目中の「〜」データや「ＳＶ」データを当該見出し単語「ｋｉｎｄ」と置換した場合の検索対象文字列「ｋｉｎｄ  ｔｏ」との一致／不一致判断処理、そして一致した場合の見出し語Ｎｏと説明項目Ｎｏに対応付けた「句」または「用」マーク付き該当マークのセット処理がなされる（ステップＢ３〜Ｂ１４）。
【０１００】
このようにして、一連の複数単語からなる検索対象文字列がキー単語検索された各見出し語にそれぞれ対応する各説明項目の内容データ中に含まれている（該当）か否かを検索する説明データ中の複数単語検索処理が、キー単語検索された各見出し語の全てについて終了すると、前記キー単語検索によって前記辞書内容データメモリ１２ｄに記憶されている英和単語辞書データ中から完全一致該当の見出し語が検索されなかったか、または検索されたか判断される（ステップＳＢ→Ｓ５）。
【０１０１】
ここで、前記キー単語検索によって前記辞書内容データメモリ１２ｄに記憶されている英和単語辞書データの中から完全一致該当の見出し語が検索されなかった場合には、前記一連の複数単語からなる検索対象文字列から選択的に設定されるキー単語が他の単語に設定され（ステップＳ５→Ｓ６）、この新たなキー単語について完全一致する見出し語の検索処理（ステップＳ７）、検索された各見出し語毎の説明内容データの読み出し処理（ステップＳ８）、そして各見出し語それぞれに対応する各説明項目の内容データ中における複数単語検索文字列の該当有り／無し判断処理（ステップＳＢ）が、前記ステップＳ３，Ｓ４，ＳＢと同様にして実行される。
【０１０２】
こうして、英和単語辞書を対象に、一連の複数単語からなる検索文字列を説明内容に含む見出し語が検索され、当該見出し語の説明内容について該当有りフラグと共に「成句」としての説明であることを示す「句」、「用例」としての説明であることを示す「用」が対応付けされると、次に、辞書内容データメモリ１２ｄに記憶されている英和の成句専用辞書データ中の各成句見出し語から、前記複数単語からなる検索文字列「ｋｉｎｄ  ｔｏ」と一致する成句見出し語が検索されて検索見出し語一覧メモリ１２ｆに追加記憶され（ステップＳ９）、この検索された成句見出し語毎に各対応する説明内容のデータが読み出される（ステップＳ１０）。
【０１０３】
すると、検索見出し語一覧メモリ１２ｆに記憶された単語辞書についての検索見出し語３１ａ，３１ｂ，…と該各検索見出し語３１ａ，３１ｂ，…毎の複数単語の検索文字列を含む説明内容（先頭データ）３６ａ，３６ｂ，…が、前記該当有りテーブル１２ｇの設定フラグに従い「用」マーク３７ａまたは「句」マーク３７ｂが付されて表示部１７に表示された検索見出し語一覧画面Ｇ２（図１０（Ｂ）・図１２（Ｂ）・図１５（Ａ）参照）に表示されると共に、さらに成句専用辞書についての検索された成句見出し語（例えば図１４の３１ｃや図１６の３１ｂ）と該各成句見出し語毎の説明内容３６ａ，３６ｂ，…が、「句」マーク３７ｂが付されて前記検索見出し語一覧画面Ｇ２（図１４（Ｂ）・図１６（Ｂ）参照）に表示される（ステップＳ１１）。
【０１０４】
なお、図１０，図１１における第１具体例での検索見出し語一覧画面Ｇ２、図１２，図１３における第２具体例での検索見出し語一覧画面Ｇ２、図１５における第４具体例での検索見出し語一覧画面Ｇ２では、単語辞書だけについての検索見出し語３１ａ，３１ｂ，…と該各検索見出し語３１ａ，３１ｂ，…毎の複数単語の検索文字列を含む説明内容（先頭データ）３６ａ，３６ｂ，…が、「用」マーク３７ａまたは「句」マーク３７ｂが付されて検索表示された場合を示す。
【０１０５】
また、図１４における第３具体例での検索見出し語一覧画面Ｇ２、図１６における第５具体例での検索見出し語一覧画面Ｇ２では、単語辞書についての検索見出し語３１ａ，３１ｂ，…と該各検索見出し語３１ａ，３１ｂ，…毎の複数単語の検索文字列を含む説明内容（先頭データ）３６ａ，３６ｂ，…、および成句専用辞書についての検索された成句見出し語３１ａ，３１ｂ，…と該各成句見出し語３１ａ，３１ｂ，…毎の説明内容３６ａ，３６ｂ，…が、それぞれ「用」マーク３７ａまたは「句」マーク３７ｂが付されて検索表示された場合を示す。
【０１０６】
こうして、一連の複数単語からなる検索文字列に対応して単語検索された見出し語や成句検索された成句見出し語と共に、それぞれその説明内容の先頭データが一覧表示され、さらに、「用例」説明部分には「用」マークが、「成句」説明部分には「句」マークが付加表示された検索見出し語一覧画面Ｇ２が生成されると、複数の検索見出し語３１ａ，３１ｂ，…のうちの先頭の見出し語３１ａがデフォルトで指定の見出し語に設定され（ステップＳ１２）、図１０（Ｂ）・図１４（Ａ）・図１５（Ａ）・図１６（Ｂ）で示すように、当該指定された先頭の見出し語３１ａが反転表示３４により識別表示されるか、または図１２（Ｂ）に示すように、当該指定された先頭の見出し語３１ａに対応する説明内容３６ａが反転表示３４により識別表示される（ステップＳ１３）。
【０１０７】
この後、ユーザ入力操作により（ステップＳ１４）、前記検索見出し語一覧画面Ｇ２上の左エリアに一覧表示された複数の見出し語３１ａ，３１ｂ，…について、例えば図１１（Ｃ）・図１３（Ｃ）・図１４（Ｂ）に示すように、カーソルキー１６ｃを操作して指定の見出し語を変更すると（ステップＳ１５）、前記ステップＳ１３からの処理に戻り、この変更により指定された見出し語３１またはその説明内容３６が反転表示３４により識別表示され、ユーザ入力操作の待機状態となる。
【０１０８】
そして、前記検索見出し語一覧画面Ｇ２における指定の見出し語３１に対応する複数の説明項目の先頭データ３６ａ，３６ｂ，…について、カーソルキー１６ｃの操作に応じて当該説明項目の指定の移動入力が行われると（ステップＳ１６）、例えば図１１（Ｃ）・図１４（Ｂ）に示すように、移動指定された説明項目の先頭データ３６に対して反転表示３４による識別表示が行われる（ステップＳ１７）。
【０１０９】
ここで、例えば図１５に示すように、検索見出し語一覧画面Ｇ２において、反転表示３４によって見出し語「ｌｏｏｋ」３１ａが選択された状態で、「訳／決定」キー１６ｂが操作されると（ステップＳ１８）、当該選択された見出し語見出し語「ｌｏｏｋ」３１ａに対応して辞書内容データメモリ１２ｄに記憶されている説明内容３６ａが、その先頭の説明項目の内容データから順に読み出され、説明内容表示画面Ｇ３として表示部１７に表示される（ステップＳ１９）。
【０１１０】
この際、前記説明内容表示画面Ｇ３において表示された指定の見出し語３１ａに対応する各説明項目３６ａ，３６ｂ，…の内容データの中で、前記該当有りテーブル１２ｇにおける該当有りフラグの設定データに従い、複数単語からなる検索文字列「ｌｏｏｋ  ａｔ」が直接あるいは前記「〜」データや「ＳＶ」記号データと指定見出し語「ｌｏｏｋ」との置き換えによって含まれていると判断された場合には、当該複数単語の検索文字列を含む１区切りのデータ「ＳＶ  ａｔ  Ｏ」は色変更，強調文字，文字体変更などによる検索文字区別表示３８として表示される（ステップＳ２０→Ｓ２１）。
【０１１１】
また、前記カーソルキー１６ｃの操作に従った各説明項目３６ａ，３６ｂ，…の指定の移動入力により、例えば図１１（Ｃ）・図１３（Ｃ）・図１４（Ｂ）に示すように、任意の説明項目を選択指定して反転表示３４させた状態で（ステップＳ１６→Ｓ１７）、「訳／決定」キー１６ｂが操作されると（ステップＳ２２）、当該選択指定された見出し語３１の説明項目３６に対応して辞書内容データメモリ１２ｄに記憶されている説明内容が、その指定の説明項目３６の内容データから順に読み出され、説明内容表示画面Ｇ３として表示部１７に表示される（ステップＳ２３）。
【０１１２】
この際、前記同様に、説明内容表示画面Ｇ３において表示された指定の見出し語３１の説明項目３６以降に対応する各説明項目３６…の内容データの中で、前記該当有りテーブル１２ｇにおける該当有りフラグの設定データに従い、複数単語からなる検索文字列（「ｋｉｎｄ  ｔｏ」や「ｋｉｎｄ  ｏｆ」）が直接あるいは前記「〜」データや「ＳＶ」記号データと指定見出し語「ｋｉｎｄ」との置き換えによって含まれていると判断された場合には、当該検索文字列を含む１区切りのデータは色変更，強調文字，文字体変更などによる検索文字区別表示３８として表示される（ステップＳ２０→Ｓ２１）。
【０１１３】
すなわち、図１０（Ａ）（Ｂ）の第１具体例または図１２（Ａ）（Ｂ）の第２具体例に示すように、検索語入力画面Ｇ１において、一連の複数単語からなる検索対象文字「ｋｉｎｄ  ｔｏ」を入力して「訳／決定」キー１６ｂが操作されると、キー単語として選択設定された見出し語「ｋｉｎｄ」に対応した辞書検索処理が行われ、当該検索対象見出し語「ｋｉｎｄ」と一致する複数の見出し語それぞれの説明内容の中で、前記複数単語の検索対象文字「ｋｉｎｄ  ｔｏ」を説明として含む説明項目の内容データが判断され、該当する各見出し語「ｋｉｎｄ１」３１ａ，「ｋｉｎｄ２」３１ｂ，…とその各説明項目の先頭データ３６ａ，３６ｂ，…とが、「用例」としての説明を含む場合には「用」、「成句」としての説明を含む場合には「句」マークが付加されて、検索見出し語一覧画面Ｇ２にて一覧表示される。
【０１１４】
そして、図１１（Ｃ）（Ｄ）または図１３（Ｃ）（Ｄ）に示すように、検索見出し語一覧画面Ｇ２において、カーソルキー１６ｃの操作により、検索表示中の所望の見出し語「ｋｉｎｄ２」３１ｂに対応する所望の説明項目３６ｂを指定して反転表示３４させ、「訳／決定」キー１６ｂが操作されると、当該指定された説明項目３６ｂ以降の内容データの全体が読み出され説明内容表示画面Ｇ３として表示される。
【０１１５】
この際、複数単語からなる検索対象文字「ｋｉｎｄ  ｔｏ」が含まれている１区切りのデータ「Ｓ  ｉｓ  ｋｉｎｄ  ｔｏ  ｄｏ」が、色変更，強調文字，文字体変更などによる検索文字区別表示３８として表示されるので、入力された複数単語からなる検索対象文字「ｋｉｎｄ  ｔｏ」の説明部分を容易に検索表示できるようになる。
【０１１６】
また、図１４（Ａ）の第３具体例に示すように、検索語入力画面Ｇ１において、複数単語からなる検索対象文字「ｋｉｎｄ  ｏｆ」を入力して「訳／決定」キー１６ｂが操作されると、キー単語として選択設定された見出し語「ｋｉｎｄ」に対応した単語辞書での辞書検索処理および複数単語見出し語「ｋｉｎｄ  ｏｆ」に対応した成句辞書での辞書検索処理が行われ、当該キー単語見出し語「ｋｉｎｄ」と一致する複数の見出し語それぞれの説明内容の中で、前記複数単語の検索対象文字「ｋｉｎｄ  ｏｆ」を説明として含む説明項目の内容データが判断され、該当する各見出し語「ｋｉｎｄ１」３１ａ，「ｋｉｎｄ２」３１ｂ，…とその各説明項目の先頭データ３６ａ，３６ｂ，…とが、「用」または「句」マークが付加されて検索見出し語一覧画面Ｇ２にて一覧表示されると共に、成句辞書検索された見出し語「ｋｉｎｄ  ｏｆ  Ｏ」３１ｃとその説明内容が「句」マークが付加されて同検索見出し語一覧画面Ｇ２にて一覧表示される。
【０１１７】
そして、図１４（Ｂ）（Ｃ）に示すように、検索見出し語一覧画面Ｇ２において、カーソルキー１６ｃの操作により、検索表示中の所望の見出し語「ｋｉｎｄ２」３１ｂに対応する所望の説明項目３６ｅを指定して反転表示３４させ、「訳／決定」キー１６ｂが操作されると、当該指定された説明項目３６ｅ以降の内容データの全体が読み出され説明内容表示画面Ｇ３として表示される。
【０１１８】
この際、説明内容表示画面Ｇ３にて表示される説明内容のデータについて、「〜」データを前記キー単語見出し語「ｋｉｎｄ」と置き換えることにより複数単語からなる検索対象文字「ｋｉｎｄ  ｏｆ」が含まれていると判断された１区切りのデータ「ｉｔ  ｉｓ  〜  ｏｆ  Ｓ  ｔｏ  ｄｏ」が、色変更，強調文字，文字体変更などによる検索文字区別表示３８として表示されるので、入力された複数単語からなる検索対象文字「ｋｉｎｄ  ｏｆ」の説明部分を容易に検索表示できるようになる。
【０１１９】
なお、複数単語からなる検索対象文字「ｋｉｎｄ  ｏｆ」を含むとして区別表示３８された説明項目中の内容データ「ｉｔ  ｉｓ  〜  ｏｆ  Ｓ  ｔｏ  ｄｏ」については、そのうちの「〜」データを前記キー単語見出し語「ｋｉｎｄ」と置き換えた「ｉｔ  ｉｓ  ｋｉｎｄ  ｏｆ  Ｓ  ｔｏ  ｄｏ」として表示し、より明確な検索表示を行う構成としてもよい。
【０１２０】
また、図１５の第４具体例に示すように、複数単語からなる検索対象文字「ｌｏｏｋ  ａｔ」を入力して「訳／決定」キー１６ｂが操作されると、キー単語として選択設定された見出し語「ｌｏｏｋ」に対応した辞書検索処理が行われ、当該検索対象見出し語「ｌｏｏｋ」と一致する複数の見出し語それぞれの説明内容の中で、前記複数単語の検索対象文字「ｌｏｏｋ  ａｔ」を説明として含む説明項目の内容データが判断され、該当する見出し語「ｌｏｏｋ」３１ａとその説明項目の先頭データ３６ａとが、「用例」としての説明を含む場合には「用」、「成句」としての説明を含む場合には「句」マークが付加されて、検索見出し語一覧画面Ｇ２にて一覧表示される。
【０１２１】
そして、検索見出し語一覧画面Ｇ２において、検索表示中の先頭の見出し語「ｌｏｏｋ」３１ａがデフォルト指定により反転表示３４されている状態で「訳／決定」キー１６ｂが操作されると、当該指定中の見出し語「ｌｏｏｋ」に対応する説明項目３６ａの内容データの全体が読み出され説明内容表示画面Ｇ３として表示される。
【０１２２】
この際、説明内容表示画面Ｇ３にて表示される説明内容のデータについて、「ＳＶ」記号データを前記キー単語見出し語「ｌｏｏｋ」と「Ｓ＋ｌｏｏｋ」として置き換えることにより複数単語からなる検索対象文字「ｌｏｏｋ  ａｔ」が含まれていると判断された１区切りのデータ「ＳＶ  ａｔ  Ｏ」が、色変更，強調文字，文字体変更などによる検索文字区別表示３８として表示されるので、入力された複数単語からなる検索対象文字「ｌｏｏｋ  ａｔ」の説明部分を容易に検索表示できるようになる。
【０１２３】
なお、複数単語からなる検索対象文字「ｌｏｏｋ  ａｔ」を含むとして区別表示３８された説明項目中の内容データ「ＳＶ  ａｔ  Ｏ」については、そのうちの「ＳＶ」記号データの「Ｖ」を前記キー単語見出し語「ｌｏｏｋ」と置き換えた「Ｓ  Ｖ＝ｌｏｏｋ  ａｔ  Ｏ」として表示し、より明確な検索表示を行う構成としてもよい。
【０１２４】
また、図１６の第５具体例に示すように、検索語入力画面Ｇ１において、複数単語からなる検索対象文字「ｉｎ  ｓｈａｐｅ」を入力して「訳／決定」キー１６ｂが操作されると、キー単語として選択設定された見出し語「ｓｈａｐｅ」に対応した単語辞書での辞書検索処理および複数単語見出し語「ｉｎ  ｓｈａｐｅ」に対応した成句辞書での辞書検索処理が行われ、当該キー単語見出し語「ｓｈａｐｅ」と一致する複数の見出し語それぞれの説明内容の中で、前記複数単語の検索対象文字「ｉｎ  ｓｈａｐｅ」を説明として含む説明項目の内容データが判断され、該当する見出し語「ｓｈａｐｅ」３１ａとその各説明項目の先頭データ３６ａ，３６ｂ，…とが、「用」または「句」マークが付加されて検索見出し語一覧画面Ｇ２にて一覧表示されると共に、成句辞書検索された見出し語「ｉｎ  ｓｈａｐｅ」３１ｂとその説明内容が「句」マークが付加されて同検索見出し語一覧画面Ｇ２にて一覧表示される。
【０１２５】
よって、複数単語からなる検索対象文字について、当該検索対象文字の説明を含む見出し語とその説明内容とを、「用例」または「成句」を意味するマークを付加して容易に検索表示できるようになる。
【０１２６】
したがって、前記構成の情報表示装置（通信電子辞典）１０によれば、一連の複数単語からなる検索対象文字列を入力すると、入力単語中の動詞または形容詞または名詞がキー単語として設定され、このキー単語と一致する複数の見出し語が単語辞書から検索されると共に、各見出し語のそれぞれに対応する説明内容が読み出され、前記複数単語の検索文字列が直接的に、あるいは「〜」データとキー単語との置換、あるいは「ＳＶ」記号データの「Ｖ」とキー単語との置換により、含まれているか判断される。そして、複数単語の検索文字列が説明内容に含まれている見出し語３１ａ，３１ｂ，…とその各対応する説明内容３６ａ，３６ｂ，…とが検索見出し語一覧画面Ｇ２にて一覧表示され、所望の説明内容を指定することで、当該指定された説明内容の全体のデータが説明内容表示画面Ｇ３にて表示されるので、複数単語で構成される成句や準成句、動作＋前置詞などからなる検索対象文字列であっても、非常に簡単にその説明のある見出し語およびその説明内容を検索して表示できるようになる。
【０１２７】
また、前記構成の情報表示装置（通信電子辞典）１０によれば、複数単語の検索対象文字列が含まれている説明内容を有する、検索された各見出し語３１ａ，３１ｂ，…とそれぞれ対応する説明内容の先頭データ３６ａ，３６ｂ，…とが、検索見出し語一覧画面Ｇ２の例えば左エリアと右エリアとで対応付けされて一覧表示されるので、この検索見出し語一覧画面Ｇ２から一目で検索対象文字列の説明のある見出し語とその説明内容とを見出すことができる。
【０１２８】
また、前記構成の情報表示装置（通信電子辞典）１０によれば、前記複数単語からなる検索対象文字列の中で、動詞または形容詞または名詞を検索対象のキー単語として設定し見出し語検索した際に、検索された各見出し語のそれぞれに対応する説明内容データの中に前記複数単語の検索文字列が含まれていない場合には、当該検索対象文字列の中の他の単語をキー単語に設定し直して再検索を行うので、確実に複数単語からなる検索対象文字列の説明がある見出し語およびその説明内容を検索して表示できるようになる。
【０１２９】
また、前記構成の情報表示装置（通信電子辞典）１０によれば、さらに複数単語からなる検索対象文字列と一致する見出し語を成句辞書などから直接検索し、「成句」のマーク「句」を付加してその説明内容と対応付けて前記検索見出し語一覧画面Ｇ２に表示させるので、単語辞書でも複数単語による見出し語を有する場合や成句専用辞書を有する場合には、簡単且つより詳しい説明のある見出し語およびその説明内容を検索して表示できるようになる。
【０１３０】
また、前記構成の情報表示装置（通信電子辞典）１０によれば、キー単語と一致する見出し語に対応した説明内容に「〜」データが含まれている場合には、当該「〜」データはキー単語と置換され、その置換後の前後の文字列から前記複数単語からなる検索対象文字列が含まれるか判断されるので、単語辞書のデータベースであっても、複数単語の検索文字列の説明を有する見出し語を確実に検索して表示できるようになる。
【０１３１】
また、前記構成の情報表示装置（通信電子辞典）１０によれば、キー単語と一致する見出し語に対応した説明内容に「ＳＶ」の品詞記号データが含まれている場合には、当該「ＳＶ」記号のうちの「Ｖ」データがキー単語と置換され、「Ｓ＋（キー単語）」の形態としてその置換後の前後の文字列から前記複数単語からなる検索対象文字列が含まれるか判断されるので、前記同様に単語辞書のデータベースであっても、複数単語の検索文字列の説明を有する見出し語をさらに確実に検索して表示できるようになる。
【０１３２】
また、前記構成の情報表示装置（通信電子辞典）１０によれば、指定の見出し語３１に対応する説明項目３６ａ，３６ｂ，…の内容データを説明内容表示画面Ｇ３において表示させた場合に、当該内容データの中に複数単語を含んだ成句の検索文字列がある場合には、色変更，強調文字，文字体変更などによって検索文字区別表示３８がされるので、表示された説明内容の中で複数単語の検索文字列とした成句の意味が含まれている部分を容易に見出すことができる。
【０１３３】
さらに、前記構成の情報表示装置（通信電子辞典）１０によれば、複数単語の検索対象文字列に応じて、表示部１７の左エリアに当該検索文字列を含んだ説明内容を有する各見出し語が検索一覧表示されると共に、また右エリアにその説明内容の先頭データが一覧表示された検索見出し語一覧画面Ｇ２において、検索文字列が用例として含まれる説明内容のデータに対しては「用」マークが付加表示され、「成句」として含まれる説明内容のデータに対しては「句」マークが付加表示されるので、この一覧表示画面Ｇ２上で検索文字列に最適な説明内容を容易に見出すことができるようになる。
【０１３４】
なお、前記実施形態において記載した情報表示装置（通信電子辞典）１０による各処理の手法、すなわち、図５，図６のフローチャートに示す通信電子辞書１０での辞典検索に伴う情報表示処理（その１）（その２）、図７のフローチャートに示す前記情報表示処理に伴うキー単語選択処理、図８のフローチャートに示す前記情報表示処理に伴う説明データ中の複数単語検索処理などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、通信ネットワーク（インターネット）Ｎとの通信機能を備えた種々のコンピュータ端末は、この外部記録媒体１３に記憶されたプログラムを記憶装置１４に読み込み、この読み込んだプログラムによって動作が制御されることにより、前記実施形態において説明した辞典検索に伴う情報表示機能を実現し、前述した手法による同様の処理を実行することができる。
【０１３５】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末から前記のプログラムデータを取り込み、前述した辞典検索に伴う情報表示機能を実現することもできる。
【０１３６】
なお、本願発明は、前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１３７】
【発明の効果】
以上のように、本発明の請求項１に係る情報表示装置によれば、見出し語毎に該見出し語についての複数の説明情報を記憶する情報記憶手段を有し、検索文字入力手段により検索文字が入力されると、この入力された一連の複数の単語のうちの何れかの単語について、前記情報記憶手段により記憶された見出し語が検索される。そして、この見出し語検索により検索された見出し語について、当該見出し語の何れかの説明情報に前記検索文字入力により入力された一連の複数の単語が含まれるか説明情報判断手段により判断され、これにより前記一連の複数の単語が含まれると判断された説明情報は検索情報表示手段によりその見出し語と共に表示されるので、一連の複数単語からなる成句や準成句、動詞＋前置詞などの検索において、一致する見出し語の無い単語辞書をベースとしても、容易にその説明内容を有する見出し語と説明情報を検索表示できるようになる。
【０１３８】
また、本発明の請求項２に係る情報表示装置によれば、前記請求項１に係る情報表示装置にあって、検索情報の表示に際しては、一連の複数の単語が含まれると判断された説明情報の各見出し語と当該各見出し語の説明情報の一部とが対応付けされて表示されるので、検索対象文字列である一連の複数の単語が含まれると判断された説明情報を有する各見出し語を、見出し語毎にその説明情報の先頭などの一部と対応付けて見易く表示できるようになる。
【０１３９】
また、本発明の請求項３に係る情報表示装置によれば、前記請求項１または請求項２に係る情報表示装置にあって、見出し語の検索に際しては、検索文字入力手段により入力された一連の複数の単語のうちのキー単語がキー単語選択手段により選択され、このキー単語選択により選択されたキー単語について、情報記憶手段により記憶された見出し語が検索されるので、一連の複数単語からなる検索対象文字列から主要な単語を抽出して見出し語検索でき、複数単語の検索対象文字を含みやすい説明情報を有する見出し語を検索できるようになる。
【０１４０】
また、本発明の請求項４に係る情報表示装置によれば、前記請求項３に係る情報表示装置にあって、キー単語の選択に際しては、検索文字入力手段により入力された一連の複数の単語のうちの動詞または形容詞または名詞がキー単語として選択されるので、一連の複数単語からなる検索対象文字列から動詞または形容詞または名詞の順で主要な単語を抽出して見出し語検索でき、複数単語の検索対象文字を含みやすい説明情報を有する見出し語を検索表示できるようになる。
【０１４１】
また、本発明の請求項５に係る情報表示装置によれば、前記請求項３または請求項４に係る情報表示装置にあって、さらに、説明情報判断手段により一連の複数の単語が含まれると判断される説明情報がない場合は、キー単語選択により選択されたキー単語の他の単語が次のキー単語として選択されるので、一連の複数単語からなる検索対象文字列からはじめに選択されたキー単語にて検索された見出し語の説明情報に該検索対象文字列が無くても、他の単語をキー単語として見出し語検索し、検索対象文字列の有る説明情報を見出すことができるようになる。
【０１４２】
また、本発明の請求項６に係る情報表示装置によれば、前記請求項１に係る情報表示装置にあって、さらに、検索文字入力手段により入力された一連の複数の単語の全体について、情報記憶手段により記憶された見出し語を検索する全体見出し語検索手段が備えられ、検索情報の表示に際しては、説明情報判断手段により一連の複数の単語が含まれると判断された説明情報がその見出し語と共に表示されるのと共に、全体見出し語検索手段により検索された一連の複数の単語からなる見出し語もその説明情報と共に表示されるので、一連の複数単語からなる検索対象文字列そのものによる見出し語検索も行い、例えば単語辞書，成句辞書の各辞書データをベースにして、成句や準成句、動詞＋前置詞などの検索文字列の説明内容を有する見出し語と説明情報を確実且つ容易に検索表示できるようになる。
【０１４３】
また、本発明の請求項７に係る情報表示装置によれば、前記請求項１乃至請求項６の何れか１項に係る情報表示装置にあって、説明情報の判断に際しては、見出し語検索手段により検索された見出し語について、当該見出し語の説明情報に含まれる「〜」のデータを、検索文字入力手段により入力された一連の複数の単語のうちの検索対象とした単語に置き換えて、当該一連の複数の単語が含まれるか判断されるので、説明情報内で見出し語を「〜」データに替えて用例などの説明がある辞書データをベースとしても、一連の複数単語からなる検索文字列の説明情報を確実且つ容易に検索できるようになる。
【０１４４】
また、本発明の請求項８に係る情報表示装置によれば、前記請求項７に係る情報表示装置にあって、検索情報の表示に際しては、説明情報の判断により一連の複数の単語が含まれると判断された説明情報について、当該説明情報に含まれる「〜」のデータが検索文字入力手段により入力された一連の複数の単語のうちの検索対象とした単語に置き換えられ、その見出し語と共に表示されるので、検索された見出し語の説明情報中に「〜」データを用いて含まれる検索対象文字列との一致部分を、当該検索対象文字列そのままに置き換えてより見易く表示できるようになる。
【０１４５】
また、本発明の請求項９に係る情報表示装置によれば、前記請求項１乃至請求項６の何れか１項に係る情報表示装置にあって、説明情報の判断に際しては、見出し語検索手段により検索された見出し語について、当該見出し語の説明情報に含まれる「Ｖ」の品詞記号データを、検索文字入力手段により入力された一連の複数の単語のうちの検索対象とした単語に置き換えて、当該一連の複数の単語が含まれるか判断されるので、説明情報内で見出し語を「Ｖ」の品詞記号データに替えて用例などの説明がある辞書データをベースとしても、一連の複数単語からなる検索文字列の説明情報を確実且つ容易に検索できるようになる。
【０１４６】
また、本発明の請求項１０に係る情報表示装置によれば、前記請求項９に係る情報表示装置にあって、検索情報の表示に際しては、説明情報の判断により一連の複数の単語が含まれると判断された説明情報について、当該説明情報に含まれる「Ｖ」の品詞記号データが検索文字入力手段により入力された一連の複数の単語のうちの検索対象とした単語に置き換えられ、その見出し語と共に表示されるので、検索された見出し語の説明情報中に「Ｖ」の品詞記号データを用いて含まれる検索対象文字列との一致部分を、当該検索対象文字列そのままに置き換えてより見易く表示できるようになる。
【０１４７】
また、本発明の請求項１１に係る情報表示装置によれば、前記請求項１乃至請求項１０の何れか１項に記載の情報表示装置にあって、さらに、検索情報の表示により表示された複数の見出し語の何れかが見出し語選択手段により選択されると、この見出し語選択された見出し語についての説明情報の内容の全体が見出し語選択説明情報表示制御手段により表示されると共に、この見出し語選択の説明情報表示により表示された説明情報の内容について、検索文字入力手段により入力された一連の複数の単語が含まれる部分が検索文字部分判断手段により判断され、この検索文字部分の判断により判断された前記表示された説明情報の内容について一連の複数の単語が含まれる部分が、検索文字区別表示制御手段により他の部分と表示形態を異ならせて表示されるので、検索された見出し語を指定してその説明情報の内容全体を表示させた場合に、一連の複数単語からなる検索文字列の説明部分を区別して見易く表示できるようになる。
【０１４８】
また、本発明の請求項１２に係る情報表示装置によれば、前記請求項１乃至請求項１１の何れか１項に係る情報表示装置にあって、検索情報の表示に際しては、説明情報の判断により一連の複数の単語が含まれると判断された説明情報がその見出し語と共に用例マークまたは成句マークが対応付けされて表示されるので、検索された見出し語とその説明情報との対応表示画面上で、複数単語からなる検索対象文字列が用例または成句として説明された部分を容易に見出すことができるようになる。
【０１４９】
また、本発明の請求項１３に係る情報表示処理プログラムによれば、当該プログラムを情報表示装置にインストールすることで、この情報表示装置のコンピュータにおいて、見出し語毎に該見出し語についての複数の説明情報が情報記憶手段により記憶され、検索文字入力手段により検索文字が入力されると、この入力された一連の複数の単語のうちの何れかの単語について、前記情報記憶手段により記憶された見出し語が検索される。そして、この見出し語検索により検索された見出し語について、当該見出し語の何れかの説明情報に前記検索文字入力により入力された一連の複数の単語が含まれるか説明情報判断手段により判断され、これにより前記一連の複数の単語が含まれると判断された説明情報は検索情報表示手段によりその見出し語と共に表示されるので、一連の複数単語からなる成句や準成句、動詞＋前置詞などの検索において、一致する見出し語の無い単語辞書をベースとしても、容易にその説明内容を有する見出し語と説明情報を検索表示できるようになる。
【０１５０】
よって、本発明によれば、一連の複数の単語からなる見出し語に対応する適切な説明内容を容易且つ簡単に検索することが可能になる情報表示装置および情報表示処理プログラムを提供できる。
【図面の簡単な説明】
【図１】本発明の情報表示装置の実施形態に係る通信機能付き電子辞典（通信電子辞典）１０の電子回路の構成を示すブロック図。
【図２】前記通信電子辞書１０の見出語テーブル１２ｂに格納されたテーブルデータを示す図。
【図３】前記通信電子辞書１０の説明情報テーブル１２ｃに格納されたテーブルデータを示す図。
【図４】前記通信電子辞書１０の該当有りテーブル１２ｇに格納されたテーブルデータを示す図。
【図５】前記通信電子辞書１０での辞典検索に伴う情報表示処理（その１）を示すフローチャート。
【図６】前記通信電子辞書１０での辞典検索に伴う情報表示処理（その２）を示すフローチャート。
【図７】前記通信電子辞書１０での情報表示処理に伴うキー単語選択処理を示すフローチャート。
【図８】前記通信電子辞書１０での情報表示処理に伴う説明データ中の複数単語検索処理を示すフローチャート。
【図９】前記通信電子辞書１０での辞典検索に伴う情報表示処理に従い１つの単語からなる検索文字を入力した場合の操作表示状態を示す図。
【図１０】前記通信電子辞書１０での辞典検索に伴う情報表示処理に従い一連の複数の単語からなる検索文字を入力した場合の第１具体例の操作表示状態（その１）を示す図。
【図１１】前記通信電子辞書１０での辞典検索に伴う情報表示処理に従い一連の複数の単語からなる検索文字を入力した場合の第１具体例の操作表示状態（その２）を示す図。
【図１２】前記通信電子辞書１０での辞典検索に伴う情報表示処理に従い一連の複数の単語からなる検索文字を入力した場合の第２具体例の操作表示状態（その１）を示す図。
【図１３】前記通信電子辞書１０での辞典検索に伴う情報表示処理に従い一連の複数の単語からなる検索文字を入力した場合の第２具体例の操作表示状態（その２）を示す図。
【図１４】前記通信電子辞書１０での辞典検索に伴う情報表示処理に従い一連の複数の単語からなる検索文字を入力した場合の第３具体例の操作表示状態を示す図。
【図１５】前記通信電子辞書１０での辞典検索に伴う情報表示処理に従い一連の複数の単語からなる検索文字を入力した場合の第４具体例の操作表示状態を示す図。
【図１６】前記通信電子辞書１０での辞典検索に伴う情報表示処理に従い一連の複数の単語からなる検索文字を入力した場合の第５具体例の操作表示状態を示す図。
【符号の説明】
１０  …情報表示装置（通信電子辞典）
１１  …ＣＰＵ
１２  …メモリ
１２ａ…電子辞典制御プログラム
１２ｂ…見出し語テーブル
１２ｃ…説明情報テーブル
１２ｄ…辞書内容データメモリ
１２ｅ…入力検索語メモリ
１２ｆ…検索見出し語一覧メモリ
１２ｇ…該当有りテーブル
１２ｈ…指定見出し語メモリ
１２ｉ…指定説明項目メモリ
１２ｊ…ワークエリア
１３  …外部記録媒体
１４  …記憶装置
１５  …通信部
１６  …入力部
１７  …表示部
２０  …Ｗｅｂサーバ
Ｎ  …通信ネットワーク（インターネット）
３１ａ…検索一致見出し語
３２ａ…見出し語説明先頭データ
３３ａ…指定見出し語説明項目先頭データ
３４  …反転識別表示
３５  …囲み枠
３６ａ…検索文字列を含む見出し語説明項目先頭データ
３７ａ…「用」（用例）マーク
３７ｂ…「句」（成句）マーク
３８  …検索文字区別表示
Ｇ１…検索語入力画面
Ｇ２…検索見出し語一覧画面
Ｇ３…説明内容表示画面
【図１】
2004152103.tif 000003
【図２】
2004152103.tif 000004
【図３】
2004152103.tif 000005
【図４】
2004152103.tif 000006
【図５】
2004152103.tif 000007
【図６】
2004152103.tif 000008
【図７】
2004152103.tif 000009
【図８】
2004152103.tif 000010
【図９】
2004152103.tif 000011
【図１０】
2004152103.tif 000012
【図１１】
2004152103.tif 000013
【図１２】
2004152103.tif 000014
【図１３】
2004152103.tif 000015
【図１４】
2004152103.tif 000016
【図１５】
2004152103.tif 000017
【図１６】
2004152103.tif 000018